(57)【特許請求の範囲】
【請求項１】
茎桿結束装置のドア軸にドアブラケットをキーを介して嵌着し、該ドアを、ドアブラケットに枢着したドア取付ボルトの軸芯周りに回動調整可能、並びに、固定可能に設けた偏芯体に枢支することにより、該ドアブラケットに対してドアを、結束ポケットを拡大及び縮小する方向へ移動調節可能に取り付けたことを特徴とする茎桿結束装置における茎桿束太さ調節装置。
【発明の詳細な説明】
【０００１】
【発明の属する技術分野】
本発明は、結束用空間の結束茎桿放出口に対して揺動開閉自在に設けた茎桿結束装置のドアにおいて、該ドアの茎桿受止位置を前記放出口に対し遠近調節させて結束ポケットの拡大・縮小を行い、以って、結束される茎桿束の太さを変更調節する茎桿束太さ調節装置に、関するものである。
【０００２】
【従来の技術】
従来では結束ポケットを拡大・縮小するにあたって、実開昭５６−５２９３１号や、実公昭６３−４５１６４号に記載されているように、ドアをドア軸に直接に固着させず、該ドア軸に固着したドアブラケットを介して支持させるように構成したうえで、このドアブラケットに結束排藁放出口方向に沿う上下２つ一組のボルト挿通孔を複数組、所定間隔を置いて穿設し、これらのうちの一組を選択して取付ボルトの締め込みによりドアをプレート部材の所定位置に取り付けてドアの茎桿受止位置を結束茎桿放出口に対し遠近調節するのが通例であった。
【０００３】
【発明が解決しようとする課題】
しかしながら、上記の構造によれば、ドアの茎桿受止位置が、ドアブラケットに設けたボルト挿通孔の位置により決定されて段階的に位置変更されるものとなっているために、結束される茎桿束の太さを微妙に調整することができない不具合があった。
【０００４】
【課題を解決するための手段】
本発明は、そのような不具合を改善することを目的とするものであって、茎桿結束装置のドア軸にドアブラケットをキーを介して嵌着し、該ドアを、ドアブラケットに枢着したドア取付ボルトの軸芯周りに回動調整可能、並びに、固定可能に設けた偏芯体に枢支することにより、該ドアブラケットに対してドアを、結束ポケットを拡大及び縮小する方向へ移動調節可能に取り付けたことを特徴とする。
【０００５】
然るに、ドアをドアブラケットに枢支した状態に維持させつつも、ドアの排藁受止面を、結束ポケット内でクランク状に、且つ、無段階に変位させることができる。
【０００６】
【発明の実施の形態】
以下、この発明の一実施例を図面に基づいて説明する。図１に示すようにコンバインの脱穀部１の後部に排藁結束装置２を架設すると共に、図外の脱穀フィードチェンにより脱穀排藁が脱穀部から搬出されると共に案内底板に沿わせて横架姿勢で前記結束装置２に供給されるように構成し、もって、刈り取り穀桿の脱穀処理に伴って脱穀排藁の結束処理を行わせるためのコンバイン用脱穀装置を構成してある。
【０００７】
前記排藁結束装置２は次の如く構成してある。即ち、前記脱穀フィードチェンからの排藁が、クランク状に回動駆動されるパッカー３ａ、３ｂにより前記案内底板に沿わせて結束ポケット５に掻込み供給され、その供給排藁が収束されるに伴い前記結束ポケット５の結束排藁放出口６のドア７に前記収束排藁を介して加えられるパッカー３ａ、３ｂの押圧力が設定値になると、その押圧力に起因してドア７が若干の揺動変位してドア軸１１が時計回りに所定量回動して結束クラッチ（図示せず）を入り操作し、結節用ビル８、紐ホルダ９、結束排藁放出アーム１０ａ、１０ｂ等を有する紐結節部、並びに、紐供給ニードル４が結束作動を行うと共に、ドア７が開放駆動されて結束排藁が機体後方に押圧放出されるようにしてある。なお、図１に一点鎖線で示すＰａはパッカー３ａ、３ｂの掻込み軌跡である。
【０００８】
前記ドア軸１１にはドアブラケット１２が取り付けられ、前記ドア７はこのドアブラケット１２に枢支される。ドアブラケット１２は、ドア軸１１にキーを介して嵌着する支筒体１２ａと、該支筒体１２ａに溶着される幅広のプレート部材１２ｂとで成り、該プレート部材１２ｂの長手方向を前記結束排藁放出口６方向に沿わせるようにしてドア軸１１に取り付けられる。プレート部材１２ｂには結束排藁放出口６方向において図２に示すように、上下２つ一組のボルト挿通孔１３・１４が、実施例では４組、１３ａ・１４ａ、１３ｂ・１４ｂ、１３ｃ・１４ｃ、１３ｄ・１４ｄとしてその前後・上下方向に所定間隔を置くように穿設してある。なお、一方のボルト挿通孔１４ａ、１４ｂ、１４ｃ、１４ｄは略くの字形を成すように連続した長孔形状とされている。
【０００９】
このドアブラケット１２に支持される前記ドア７は図３に示すような構成をしている。即ち、該ドア７は、結束ポケット５内に位置して収束排藁を受ける排藁受止面７ａと、該排藁受止面７ａの裏面に溶着した、前記プレート部１２ｂを取り付けるための上下方向に延伸するアーム部７ｂとで成る。該アーム部７ｂには一対の真円状の開口部１５・１５が穿設されると共に、各開口部１５・１５の中に、アーム部７ｂと略同じ厚みを有し、この開口部１５・１５の内径と略等しい直径を有する真円形のカラー１６・１６を相対回動自在にはめ込んでいる。このカラー１６・１６の中心から偏心した位置にはボルト挿通孔１７・１７を穿設してあり、以って該カラー１６・１６は偏芯体を構成する。
【００１０】
そして、前記ドア７のアーム７ｂの一側面に各開口部１５・１５にまたがる長さを有してカラー１６・１６の抜け出しを防止する当接板１８を当てがい、カラー１６・１６のボルト挿通孔１７・１７とプレート部材１２ｂのボルト挿通孔１３・１４とを位置あわせした状態で、これらのボルト挿通孔に挿通される一対のドア取付ボルト１９・１９及び該ボルトに螺合されるナット２０・２０を締め込むことにより、アーム部７ｂはカラー１６・１６を介してプレート部材１２ｂに固定されて枢支されることとされている。
【００１１】
以上に説明してきたところからして、ドア７は、まず最初にプレート部材１２ｂにのボルト挿通孔１３ａ・１４ａ、１３ｂ・１４ｂ、１３ｃ・１４ｃ、１３ｄ・１４ｄのいずれかを選択してドアブラケット１２に枢支させることによって、段階的に結束ポケット５を拡大及び縮小する方向において大幅な位置変更が可能となり、結束排藁の束太さを小束結束位置、中束結束位置、大束結束位置、特大結束位置の４位置にセットすることができる。図４ではドア７をドアブラケット１２のボルト挿通孔１３ｃ・１４ｃに取付けて大束結束位置にセットした状態を示す。
【００１２】
ここで、本発明によれば、ドア７を上記各結束位置にセットした状態において排藁受止面７ａを結束ポケット５内で微妙に位置調整して束太さの微調整を行うことができる。即ち、ドア取付ボルト１９・１９を緩めてドア７のアーム部７ｂとドアブラケット１２のプレート部材１２ｂとの圧着を解くことにより、カラー１６・１６の回動調節可能な状態となり、ドア取付ボルト１９・１９に対してカラー１６・１６が、また、該カラー１６・１６に対してアーム部７ｂが、それぞれ回動自在となり、排藁受止面７ａを手でもってアーム部７ｂを揺動させることが可能となる。
【００１３】
即ち、図４ではカラー１６・１６の紙面上側にドア取付ボルト１９・１９を置くような位置に調節した状態を示しているが、このドア面７ａの位置を基準にするならば、例えば、図５に示すようにドア取付ボルト１９・１９の軸芯周りにカラー１６・１６を反時計回りに９０度回動させるようにアーム部７ａを揺動させたときには、排藁受止面７ａは、２点鎖線で示す図４の状態のものと比べて前傾するようになる。
【００１４】
更に、図５の状態から図６に示すようにドア取付ボルト１９・１９の軸芯周りにカラー１６・１６を反時計回りに９０度回動させるようにようにアーム部７ａを揺動させたときには排藁受止面７ａは全体的に、２点鎖線で示す図４の状態のものと比べて上側に位置するようになる。
【００１５】
更に、図６の状態から図７に示すようにドア取付ボルト１９・１９の軸芯周りにカラー１６・１６を反時計回りに９０度回動させるようにアーム部７ａを揺動させたときには、排藁受止面７ａは全体的に、２点鎖線で示す図４の状態のものと比べて前方側に平行移動するようになる。
【００１６】
これら図４から図７では、説明の便宜上、ドア取付ボルト１９・１９を中心にカラー１６・１６を９０度ごとに回動させた例を述べたが、実際には、カラー１６・１６はドア取付ボルト１９・１９の軸芯周りに、また、アーム部７ａはカラー１６・１６の軸芯周りに、それぞれ３６０度相対回転自在であって、排藁受止面７ａはドア取付ボルト１９・１９を中心にクランク状に変位可能な状態にあり無段階に所望する微妙な最適位置にセットできる。このようにしてドア７をドアブラケット１２に取り付けた後は、ドア取付ボルト１９・１９を再び締め込むことによって、カラー１６・１６はアーム７ｂの中で回転不能に固定されて、排藁受止面７ａは収束排藁を介して加えられる前記パッカー３ａ、３ｂからの所定の押圧力を確実に受け止めることができるようになる。
【００１７】
本発明による結束装置のドア調節装置は、前述した脱穀装置用に限らず、バインダー用や、稲麦以外の各所茎桿を結束処理対象物とするものにも適用できる。
【００１８】
【発明の効果】
本発明によれば、茎桿結束装置のドア軸にドアブラケットをキーを介して嵌着し、該ドアを、ドアブラケットに枢着したドア取付ボルトの軸芯周りに回動調整可能、並びに、固定可能に設けた偏芯体に枢支することにより、該ドアブラケットに対してドアを、結束ポケットを拡大及び縮小する方向へ移動調節可能に取り付けたので、このドアは偏芯体によってドアブラケットに枢支された状態を維持しつつも、ドアの排藁受止面を結束ポケット内でクランク状に無段階に変位させることができ、結束される茎桿束の太さを微妙に調整することができる。
【図面の簡単な説明】
【図１】脱穀装置の排藁結束部を示す側面図。
【図２】ドアブラケットの平面図である。
【図３】ドアの組立分解状態を示す斜視図である。
【図４】ドアをドアブラケットに取り付けた状態を示す平面図である。
【図５】ドアの排藁受止面の位置を微調整したときの作用説明図である。
【図６】同じく作用説明図である。
【図７】同じく作用説明図である。
【符号の説明】
７ ドア
１１ ドア軸
１２ ドアブラケット
１６ 偏芯体（カラー）
１９ ドア取付ボルト
【図１】
0003897395.tif 000002
【図２】
0003897395.tif 000003
【図３】
0003897395.tif 000004
【図４】
0003897395.tif 000005
【図５】
0003897395.tif 000006
【図６】
0003897395.tif 000007
【図７】
0003897395.tif 000008